(57)【特許請求の範囲】
【請求項１】
情報提供装置と、
情報表示装置と
を含み、
前記情報提供装置は、
待っている人の数に基づき算出された待ち時間を取得する取得手段と、
前記取得手段により取得された待ち時間に応じた広告情報と、待ち時間を案内する情報とが含まれた情報コンテンツを生成する生成手段と、
前記生成手段により生成された情報コンテンツを、前記情報表示装置に提供する提供手段と
を有し、
前記生成手段は、前記取得手段により取得された待ち時間に応じて、少なくとも、表示される広告の数が異なる広告情報を選択し、所定の時間間隔で待ち時間を表示し、かつ、待ち時間を表示した後、選択された広告情報の広告データを切り替えて表示する情報コンテンツを生成し、
前記情報表示装置は、前記情報提供装置から提供された情報コンテンツに基づいて、所定の時間間隔で待ち時間を表示し、かつ、待ち時間を表示した後、選択された広告情報の広告データを切り替えて表示する
情報提供システム。
【請求項２】
前記情報提供装置は、
前記情報表示装置により表示された広告の表示回数を、これらの広告が表示されたときの待ち時間に関連付けて記録する記録手段と、
前記記録手段により記録された広告の表示回数及び待ち時間に基づいて、広告効果に関する評価値を算出する算出手段と
をさらに有する
請求項１に記載の情報提供システム。
【請求項３】
所定の場所で待っている人の人数、又は、この人数に基づき推定された待ち時間を取得する取得手段と、
前記取得手段により取得された人数又は待ち時間に応じた広告情報と、待っている人の人数又は待ち時間を案内する情報とが含まれた情報コンテンツを生成する生成手段と、
前記生成手段により生成された情報コンテンツを、外部に提供する提供手段と
を有し、
前記生成手段は、前記取得手段により取得された待ち時間に応じて、少なくとも、表示される広告の数が異なる広告情報を選択し、所定の時間間隔で待ち時間を表示し、かつ、待ち時間を表示した後、選択された広告情報の広告データを切り替えて表示する情報コンテンツを生成する
情報提供装置。
【請求項４】
情報提供装置が、推定又は計測された待ち時間を取得するステップと、
情報提供装置が、推定又は計測された待ち時間に基づいて、データベースに登録された広告情報の中から、表示すべき広告の数が異なる広告情報を選択するステップと、
情報表示装置が、同一画面上に、所定の時間間隔で待ち時間を表示し、かつ、待ち時間を表示した後、情報提供装置により選択された広告情報の広告データを切り替えて表示するステップと
を有する情報提供方法。
【請求項５】
推定又は計測された待ち時間を取得するステップと、
推定又は計測された待ち時間に基づいて、表示すべき広告の数が異なる広告情報を選択するステップと、
同一画面上に、所定の時間間隔で待ち時間を表示し、かつ、待ち時間を表示した後、選択された広告情報の広告データを切り替えて表示するステップと
をコンピュータに実行させるプログラム。
【発明の詳細な説明】
【技術分野】
【０００１】
本発明は、情報提供システムに関するものである。
【背景技術】
【０００２】
例えば、特許文献１には、各アトラクションの入り口に設置され、アトラクション利用情報が記録されたチケットを有する利用者の入退場者数をカウントする監視センサーと、この監視センサーを通過した人数情報を管理する監視センサー情報データベース、各アトラクションの処理人数と処理時間及び平均処理人数と平均処理時間を含む情報を管理するアトラクション情報データベースを有して、ネットワークに接続されたデータベース・サーバーとを備え、データベース・サーバーは、監視センサーから入退場者情報を受け取り、前記アトラクション情報データベースの情報に基づき、そのアトラクションの待ち人数および待ち時間の計算を行い、その結果をＷｅｂサイト上に提供する手段を有するアトラクション施設の混雑状況案内システムが開示されている。
【先行技術文献】
【特許文献】
【０００３】
【特許文献１】特開２００３−３３１０８２号公報
【発明の概要】
【発明が解決しようとする課題】
【０００４】
本発明は、効果的に広告を行う情報提供システムを提供する。
【課題を解決するための手段】
【０００５】
本発明に係る情報提供システムは、情報提供装置と、情報表示装置とを含み、前記情報提供装置は、待っている人の数に基づき算出された待ち時間を取得する取得手段と、前記取得手段により取得された待ち時間に応じた広告情報と、待ち時間を案内する情報とが含まれた情報コンテンツを生成する生成手段と、前記生成手段により生成された情報コンテンツを、前記情報表示装置に提供する提供手段とを有し、前記情報表示装置は、前記情報提供装置から提供された情報コンテンツに基づいて、待ち時間及び広告情報を表示する。
【０００６】
好適には、前記生成手段は、前記取得手段により取得された待ち時間に応じて、少なくとも、表示される広告の数、又は、広告の表示時間が異なる広告情報を選択し、選択された広告情報と、待ち時間を案内するための情報とが含まれた情報コンテンツを生成する。
【０００７】
好適には、前記情報提供装置は、前記情報表示装置により表示された広告の表示回数を、これらの広告が表示されたときの待ち時間に関連付けて記録する記録手段と、前記記録手段により記録された広告の表示回数及び待ち時間に基づいて、広告効果に関する評価値を算出する算出手段とをさらに有する。
【０００８】
好適には、前記生成手段は、広告情報と待ち時間とを前記情報表示装置の同一画面上に表示させる情報コンテンツを生成し、前記情報表示装置は、前記提供手段から提供された情報コンテンツに基づいて、広告情報と待ち時間とを同一画面上に表示する。
【０００９】
また、本発明に係る情報提供装置は、所定の場所で待っている人の人数、又は、この人数に基づき推定された待ち時間を取得する取得手段と、前記取得手段により取得された人数又は待ち時間に応じた広告情報と、待っている人の人数又は待ち時間を案内する情報とが含まれた情報コンテンツを生成する生成手段と、前記生成手段により生成された情報コンテンツを、外部に提供する提供手段とを有する。
【００１０】
また、本発明に係る情報提供方法は、推定又は計測された待ち時間を取得するステップと、
推定又は計測された待ち時間に基づいて、表示すべき広告情報を選択するステップと、選択された広告情報と、推定又は計測された待ち時間とを同一画面上に表示させるステップとを有する。
【００１１】
また、本発明に係るプログラムは、推定又は計測された待ち時間を取得するステップと、取得された待ち時間に基づいて、表示すべき広告情報を選択するステップと、選択された広告情報と、取得された待ち時間とを同一画面上に表示させるステップとをコンピュータに実行させる。
【発明の効果】
【００１２】
本発明によれば、効果的に広告を行うことができる。
【図面の簡単な説明】
【００１３】
【図１】待ち時間案内システム１の全体構成を例示する図である。
【図２】待ち時間案内システム１の機能構成を例示する図である。
【図３】登録ＤＢ２０４を例示する図である。
【図４】成果ＤＢ２１２を例示する図である。
【図５】表示ＤＢ３０４を例示する図である。
【図６】情報コンテンツ生成処理Ｓ１０のフローチャートである。
【図７】情報表示装置３０が表示する画面の遷移を例示する図である。
【図８】変形例１における待ち時間案内システム２の全体構成を例示する図である。
【発明を実施するための形態】
【実施例１】
【００１４】
図１は、待ち時間案内システム１の全体構成を例示する図である。待ち時間案内システム１は、本発明に係る情報提供システムの一例である。
図１に例示するように、待ち時間案内システム１は、情報提供装置１０と、情報表示装置３０とを含む。情報提供装置１０及び情報表示装置３０は、互いに、通信ネットワーク４０を介して接続している。
本例では、さらに受付システム１００及び広告主端末２０が、通信ネットワーク４０を介して、情報提供装置１０に接続している。
なお、通信ネットワーク４０は、特に限定するものではなく、例えば、インターネット、携帯通信網、ＣＡＴＶ網、又はＬＡＮ（Local Area Network）などの組み合わせにより実現されればよい。
以下、本図に示されている各構成について説明する。
【００１５】
受付システム１００は、待つ人に整理券を発行し、発行した整理券に印字された番号を順次表示して、待っている人を呼び出すものである。
本例では、受付システム１００は、整理券発行機１１０と、呼出装置１２０と、表示装置１３０とを、互いに通信ネットワーク１４０を介して接続したものである。整理券発行機１１０は、待つ人に番号が印字された整理券を発行する。呼出装置１２０は、ボタン操作などに応じて、待っている人を順次呼び出す。表示装置１３０は、呼び出される人が持っている整理券に印字されている番号を表示する。
本例では、整理券発行機１１０は、発行した整理券の数から、受付を終えた整理券の数を引くことにより、現在待っている人の数を算出し、算出した現在待っている人の数に、平均して受付に要する時間を掛けて、待ち時間を算出する。そして、整理券発行機１１０は、算出した待ち時間を、情報表示装置３０が設置されている場所を特定する設置場所ＩＤ（図３を用いて後述）に関連付けて、情報提供装置１０に送信する。このように、受付システム１００は、整理券発行機１１０が待ち時間を情報提供装置１０に送信することにより、待ち時間案内システム１との連携を可能にしている。
【００１６】
情報提供装置１０は、ＣＰＵ及び記憶媒体を備えたコンピュータであり、情報提供プログラム２００（図２を用いて後述）をインストールされている。情報提供装置１０は、情報提供プログラム２００により実現される機能により、主に受付システム１００からの待ち時間の取得、広告主端末２０からの広告データの登録、情報コンテンツの生成、及び情報表示装置３０への情報コンテンツの提供を行う。
なお、広告データは、広告を表わすテキスト又は画像などのデータである。情報コンテンツは、待ち時間及び広告データを所定の態様で表示するためのデータである。例えば、情報コンテンツは、ＨＴＭＬ（HyperText Markup Language）又はＸＭＬ（Extensible Markup Language）などを用いて表わされる。
【００１７】
広告主端末２０は、ＣＰＵ及び記憶媒体を備えたコンピュータである。広告主端末２０は、広告主が指定した広告データを情報提供装置１０に送信する。
本例では、広告主端末２０は、広告主が指定した広告データを、この広告データを表示させたい情報表示装置３０が設置されている場所を特定する設置場所ＩＤなどに関連付けて、情報提供装置１０に送信する。
【００１８】
情報表示装置３０は、ＣＰＵ及び記憶媒体を備えた表示装置であり、情報表示プログラム３００（図２を用いて後述）をインストールされている。情報表示装置３０は、情報表示プログラム３００により実現される機能により、主に情報提供装置１０から提供された情報コンテンツを表示する。
【００１９】
以上説明した構成によれば、待ち時間案内システム１は、情報表示装置３０を用いて、待ち時間を案内するとともに、広告を表示することができる。また、待ち時間案内システム１は、情報提供装置１０にて、複数の場所に設置されている情報表示装置３０に表示させる情報を、設置場所ＩＤを用いて集中的に管理することができる。
【００２０】
図２は、待ち時間案内システム１の機能構成を例示する図である。
図２に例示するように、情報提供プログラム２００は、取得部２０２と、登録部２０６と、情報コンテンツ生成部２０８と、提供部２１０と、報酬算出部２１４と、報告部２１６とを有する。また、情報提供プログラム２００は、その動作において、登録データベース（登録ＤＢ）２０４及び成果データベース（成果ＤＢ）２１２に接続する。
また、情報表示プログラム３００は、取得部３０２と、表示部３０６とを有する。また、情報表示プログラム３００は、その動作において、表示データベース（表示ＤＢ）３０４に接続する。
なお、情報提供プログラム２００及び情報表示プログラム３００は、その実現する機能の一部又は全部をＡＳＩＣ等のハードウェアに置き換えられてもよい。
以下、本図に示されている各構成について説明する。
【００２１】
情報提供プログラム２００において、取得部２０２（取得手段）は、待っている人の数に基づき算出された待ち時間を取得する。
本例の取得部２０２は、受付システム１００において算出された待ち時間と、この待ち時間に関連付けられた設置場所ＩＤを、通信ネットワーク４０を介して、受付システム１００から取得する。そして、取得部２０２は、取得した待ち時間を、同じく取得した設置場所ＩＤに関連付けて、登録ＤＢ２０４に登録する。
【００２２】
登録部２０６は、広告データを登録する。
本例では、登録部２０６は、広告データと、この広告データに関連付けられた設置場所ＩＤ、優先度（図３を用いて後述）、及び広告主ＩＤ（図３を用いて後述）とを、通信ネットワーク４０を介して、広告主端末２０から受信する。そして、登録部２０６は、受信した広告データを、同じく受信した設置場所ＩＤ、優先度、及び広告主ＩＤに関連付けて、登録ＤＢ２０４に登録する。
【００２３】
情報コンテンツ生成部２０８（生成手段）は、取得部２０２により取得された待ち時間と、登録部２０６により登録された広告データとに基づき、待ち時間を案内するとともに、広告を表示する情報コンテンツを生成する。
本例では、情報コンテンツ生成部２０８は、登録ＤＢ２０４に登録された待ち時間と広告データとに基づき、各設置場所ＩＤごとに情報コンテンツを生成する。このとき、情報コンテンツ生成部２０８は、情報コンテンツ生成処理Ｓ１０（図６を用いて後述）を実行し、待ち時間に応じて表示数、表示時間、又はこれら組み合わせを変化させた広告を表示する情報コンテンツを生成する。
【００２４】
提供部２１０（提供手段）は、情報コンテンツ生成部２０８により生成された情報コンテンツを、情報表示装置３０に提供する。
本例では、提供部２１０は、各設置場所ＩＤごとに情報コンテンツ生成部２０８により生成された情報コンテンツを、設置場所ＩＤにより特定される情報表示装置３０に、通信ネットワーク４０を介して提供する。
また、提供部２１０（記録手段）は、提供する情報コンテンツにより表示される広告データの実績を記録する。広告データの実績とは、広告の表示回数、又は、広告の表示時間と、広告が表示されるときの待ち時間とを互いに関連付けた情報である。
本例では、提供部２１０は、広告データを表示する情報コンテンツの提供回数を、広告データの実績として、表示される広告データと、この広告データに関連付けられた設置場所ＩＤ及び広告主ＩＤとに関連付けて成果ＤＢ２１２に記録する。なお、提供部２１０は、広告データの実績として、例えば、広告データの表示時間、又は広告データが表示されるときの待ち時間などを記録してもよい。
【００２５】
報酬算出部２１４（算出手段）は、提供部２１０により記録された広告データの実績に基づき、広告データに対する報酬料を算出する。
本例では、報酬算出部３１４は、成果ＤＢ３１２を参照し、各広告主ＩＤごとに、提供回数を集計し、集計した提供回数に基づき、広告データに対する報酬料を算出する。そして、報酬算出部２１４は、各広告主ＩＤごとに、算出した報酬料を、成果ＤＢ２１２に記録する。
【００２６】
報告部２１６は、広告データの実績及び広告データに対する報酬料を広告主に報告する。
本例では、報告部２１６は、成果ＤＢ２１２を参照し、広告主ＩＤにより特定される各広告主端末２０に、成果ＤＢ２１２に記録されている提供回数及び報酬料を、通信ネットワーク４０を介して報告する。なお、このとき、報告部２１６は、Ｗｅｂページによる開示又は電子メールの送信などの各種情報発信手段を用いて、各広告主端末２０に広告データの実績及び広告データに対する報酬料を報告すればよい。
【００２７】
情報表示プログラム３００において、取得部３０２は、情報提供装置１０から情報コンテンツを取得する。
本例では、取得部３０２は、情報提供装置１０から、所定の間隔で待ち時間を表示し、かつ待ち時間を表示した後、所定の間隔で広告データを切り替えて表示する情報コンテンツを、通信ネットワーク４０を介して取得する。そして、取得部３０２は、取得した情報コンテンツを表示ＤＢ３０４に格納する。
【００２８】
表示部３０６（表示手段）は、情報提供装置１０から提供された情報コンテンツを表示する。
本例の表示部３０６は、表示ＤＢ３０４に格納されている情報コンテンツを、同一のディスプレイなどを用いて表示する。
【００２９】
図３は、登録ＤＢ２０４を例示する図である。
図３に例示するように、登録ＤＢ２０４は、データ項目として、設置場所ＩＤと、待ち時間と、優先度と、広告データと、広告主ＩＤとを有する。
以下、登録ＤＢ２０４が有する各データ項目について説明する。
【００３０】
設置場所ＩＤは、情報表示装置３０が設置されている場所を特定する識別情報である。例えば、設置場所ＩＤは、文字、数字、又は記号などの組み合わせにより表わされる。
【００３１】
待ち時間は、受付システム１００において算出された現在の待ち時間を表わす。
本例では、待ち時間は、取得部２０２により、定期的に更新される。
優先度は、広告データを情報表示装置３０にて表示する優先度を表わす。
広告データは、広告データの記憶媒体における格納先を表わす。
【００３２】
広告主ＩＤは、広告データを指定した広告主を特定する識別情報である。例えば、広告主ＩＤは、文字、数字、又は記号などの組み合わせにより表わされる。
【００３３】
図４は、成果ＤＢ２１２を例示する図である。
図４に例示するように、成果ＤＢ２１２は、データ項目として、広告主ＩＤと、設置場所ＩＤと、広告データと、提供回数と、報酬料とを有する。
以下、成果ＤＢ２１２が有する各データ項目について説明する。
【００３４】
広告主ＩＤは、登録ＤＢ２０４の広告主ＩＤと同じである。
【００３５】
設置場所ＩＤは、登録ＤＢ２０４の設置場所ＩＤと同じである。
【００３６】
広告データは、登録ＤＢ２０４の広告データと同じである。
【００３７】
提供回数は、広告データを表示する情報コンテンツが情報表示装置３０に提供された回数を表わす。
【００３８】
報酬料は、広告効果に関する評価値の一例であり、広告データに対する報酬料を表わす。
【００３９】
図５は、表示ＤＢ３０４を例示する図である。
図５に例示するように、表示ＤＢ３０４は、データ項目として、情報コンテンツを有する。
以下、表示ＤＢ３０４が有する各データ項目について説明する。
情報コンテンツは、情報コンテンツの記憶媒体における格納先を表わす。
【００４０】
図６は、情報コンテンツ生成処理Ｓ１０のフローチャートである。
図６に例示するように、ステップ１００（Ｓ１００）において、情報コンテンツ生成部２０８は、登録ＤＢ２０４から各設置場所ＩＤごとにデータを順次読み込む。
【００４１】
ステップ１０２（Ｓ１０２）において、情報コンテンツ生成部２０８は、登録ＤＢ２０４における全データについて処理したか否かを判定する。情報提供プログラム２００は、全てのデータについて処理した場合は、終了し、全てのデータについて処理していない場合は、Ｓ１０４に移行する。
【００４２】
ステップ１０４（Ｓ１０４）において、情報コンテンツ生成部２０８は、待ち時間を表示する情報コンテンツを生成する。
【００４３】
ステップ１０６（Ｓ１０６）において、情報コンテンツ生成部２０８は、待ち時間において全広告データを表示した場合の１つの広告データあたりの表示時間ta（秒）を以下の数式により算出する。なお、待ち時間は、定期的にＴi（秒）間隔でtw（秒）表示される。
【００４４】
（数１）
ta ＝ ［Ｔw −｛（Ｔw／Ｔi）× tw｝］／ Ｎa
Ｔw（秒）：待ち時間  Ｔi（秒）：待ち時間の表示間隔  tw（秒）：待ち時間の表示時間  Ｎa（個）：広告データ数
【００４５】
ステップ１０８（Ｓ１０８）において、情報コンテンツ生成部２０８は、Ｓ１０６にて算出されたta（秒）が１つの広告データを表示する最小時間tm（秒）より小さいか否かを判定する。情報提供プログラム２００は、小さい場合は、Ｓ１１０に移行し、小さくない場合は、Ｓ１１４に移行する。
【００４６】
ステップ１１０（Ｓ１１０）において、情報コンテンツ生成部２０８は、待ち時間において１つの広告データをtm（秒）表示した場合の表示できる広告データ数Ｎb（個）を以下の数式により算出する。
【００４７】
（数２）
Ｎb ＝ ［Ｔw −｛（Ｔw／Ｔi）× tw｝］／ tm
【００４８】
ステップ１１２（Ｓ１１２）において、情報コンテンツ生成部２０８は、優先度が高い順に選択されたＮb個の広告データを、それぞれtm（秒）表示する情報コンテンツを生成する。
【００４９】
ステップ１１４（Ｓ１１４）において、情報コンテンツ生成部２０８は、全広告データを、それぞれta（秒）表示する情報コンテンツを生成する。
【００５０】
ステップ１１６（Ｓ１１６）において、情報コンテンツ生成部２０８は、Ｓ１０４において生成された待ち時間を表示する情報コンテンツと、Ｓ１１２又はＳ１１４において生成された広告データを表示する情報コンテンツとを組み合わせ、Ｔ（秒）間隔で待ち時間をtw（秒）表示するとともに、各広告データを順次tm又はta（秒）表示する情報コンテンツを生成する。
【００５１】
図７は、情報表示装置３０が表示する画面の遷移を例示する図である。
図７に例示するように、情報表示装置３０は、表示ＤＢ３０４に格納された情報コンテンツにより、待ち時間画面４００をＴi（秒）間隔でtw（秒）表示し、各広告データ画面４１０を、tm又はta(秒）表示する。
【００５２】
以上説明した構成及び動作によれば、待ち時間案内システム１は、受付の順番待ちをしている人が確実に目にする待ち時間の案内とともに、広告を表示することで、広告の視聴率を高めことができる。また、受付の順番待ちをしている人は、明確な目的を持っているので、この目的に応じた広告を表示することにより、広告効果を高めることができる。例えば、待ち時間案内システム１は、乗車券売場では、待ち時間を案内するとともに、お土産、飲食料、及び観光などの広告を表示することで、広告効果を高めることができる。また、待ち時間案内システム１は、広告の表示実績を、広告主に把握させることで、より効果的な広告表示を広告主に促すことができる。
【００５３】
［変形例１］
図８は、変形例１における待ち時間案内システム２の全体構成を例示する図である。
図８に例示するように、待ち時間案内システム２は、受付システム５００と、通信ネットワーク４０を介して、接続している。
【００５４】
受付システム５００は、所定の範囲内で待っている人の数から待ち時間を算出するものである。
本例では、受付システム５００は、センサー５１０と、監視端末５２０とを、互いに通信ネットワーク６３０を介して接続したものである。センサー５１０は、所定の範囲内で待っている人を検知する。監視端末５２０は、センサー５１０により検知された人の動きを監視及び記録するとともに、現在の所定の範囲内で待っている人の数をカウントする。監視端末５２０は、カウントした人数（待っている人の数）に、平均して受付に要する時間を掛けて、待ち時間を算出する。そして、監視端末５２０は、算出した待ち時間を、情報表示装置３０が設置されている場所を特定する設置場所ＩＤに関連付けて、情報提供装置１０に送信する。このように、受付システム５００は、監視端末５２０が待ち時間を情報提供装置１０に送信することにより、待ち時間案内システム２との連携を可能にしている。
【００５５】
以上説明した構成及び動作によれば、待ち時間案内システム１は、受付に並んでいる人達に待ち時間を案内するとともに、広告を表示することができる。
【００５６】
［その他変形例］
上記実施例では、受付システム１００において待ち時間を算出しているが、これを待ち時間案内システム１において待ち時間を算出するようにしてもよい。つまり、受付システム１００においては、待っている人の人数までを算出し、待ち時間案内システム１が、この算出された人数に基づき、待ち時間を算出又は推定してもよい。
また、上記実施例では、待っている人の人数に基づいて、待ち時間を算出又は推定し、算出又は推定された待ち時間に応じて、広告を選択する形態を説明したが、これに限定されるものではなく、例えば、所定の場所で待っている人の人数そのものに応じて、広告を選択するようにしてもよい。待っている人の人数と、待ち時間との間に、正の相関が存在するからである。
【符号の説明】
【００５７】
１      待ち時間案内システム
２      待ち時間案内システム（変形例１）
１０    情報提供装置
２０    広告主端末
３０    情報表示装置
４０    通信ネットワーク
１００  受付システム
１１０  整理券発行機
１２０  呼出装置
１３０  表示装置
１４０  通信ネットワーク
２００  情報提供プログラム
２０２  取得部
２０４  登録ＤＢ
２０６  登録部
２０８  情報コンテンツ生成部
２１０  提供部
２１２  成果ＤＢ
２１４  報酬算出部
２１６  報告部
３００  情報表示プログラム
３０２  取得部
３０４  表示ＤＢ
３０６  表示部
４００  待ち時間画面
４１０  広告データ画面
５００  受付システム（変形例１）
５１０  センサー
５２０  監視端末
５３０  通信ネットワーク
【図１】
0005629907.tif 000002
【図２】
0005629907.tif 000003
【図３】
0005629907.tif 000004
【図４】
0005629907.tif 000005
【図５】
0005629907.tif 000006
【図６】
0005629907.tif 000007
【図７】
0005629907.tif 000008
【図８】
0005629907.tif 000009